(57)【要約】【課題】  防水シートを固定しているディスク板を屋根下地材に留めている固定ねじが、強風や暴風により緩むという現象を再現性よく試験できる試験装置を提供する。【解決手段】  本発明の試験装置Ａは、屋根防水シート固定ねじの緩み試験装置であって、屋根下地模型１０と、屋根下地模型１０を天地を逆にして支持する架台２０と、防水シートＴｓを保持する試験体保持具３０と、試験体保持具３０を加振する加振機４０とを備えてなるものである。ここで、試験体保持具３０は、防水シートＴｓの周縁部を載置する試験体受け枠３１と、試験体受け枠３１に載置された防水シートＴｓの周縁部を押さえる押さえフレーム３２とを備える。【選択図】  図１
2006275604.tif 000002
【特許請求の範囲】
【請求項１】
屋根防水シート固定ねじの緩み試験装置であって、
屋根下地模型と、該屋根下地模型を天地を逆にして支持する架台と、試験体を保持する試験体保持具と、該試験体保持具を加振する加振機とを備えてなることを特徴とする試験装置。
【請求項２】
試験体が防水シートを有し、
試験体保持具が、前記防水シートの周縁部を載置する試験体受け枠と、該試験体受け枠に載置された前記防水シートの周縁部を押さえる押さえフレームとを備えてなることを特徴とする請求項１記載の試験装置。
【請求項３】
屋根下地模型が、架台の天井梁に固定されるベースフレームを有してなることを特徴とする請求項１記載の試験装置。
【発明の詳細な説明】
【技術分野】
【０００１】
本発明は屋根防水シート固定ねじの緩み試験装置に関する。さらに詳しくは、シート防水工法が適用されてなる屋根の防水シートを固定しているディスク板を屋根下地材に留めている固定ねじの緩み試験装置に関する。
【背景技術】
【０００２】
従来より、建築物などの屋根として、図３に示すように、デッキプレート１０１の上に敷設された断熱材１０２を、表面に融着用樹脂がコーティングされたディスク（以下、単にディスクという）１０４が装着されたビス１０３によりビス留めし、その上を防水シート１０６により覆った後に、ディスク１０４を高周波加熱などしてディスク１０４を防水シート１０６に融着してなる屋根構造Ｋが知られている。
【０００３】
しかるに、近年の地球の温暖化などの影響により、台風が大型化しかつその上陸回数も増加しているところから、デッキプレート１０１、断熱材１０２および防水シート１０６の強風や暴風による振動によりビス１０３が緩み、あるいは断熱材１０２の劣化により断熱材１０２とディスク１０４との間に隙間が生じてビス１０３が緩み、その緩みに起因してデッキプレート１０１に損傷がないにもかかわらず、ディスク１０４が浮き上がり、その結果ビス抜けが発生して断熱材１０２や防水シート１０６が損傷するという事態が発生している。そのため、かかる現象を再現性よく試験する必要が生じている。
【０００４】
しかしながら、現状においては、かかる現象を再現性よく試験できる試験装置は存在していない。
【発明の開示】
【発明が解決しようとする課題】
【０００５】
本発明はかかる従来技術の課題に鑑みなされたものであって、防水シートを固定しているディスク板を屋根下地材に留めている固定ねじが、強風や暴風により緩むという現象を再現性よく試験できる試験装置を提供することを目的としている。
【課題を解決するための手段】
【０００６】
本発明の試験装置は、屋根防水シート固定ねじの緩み試験装置であって、屋根下地模型と、該屋根下地模型を天地を逆にして支持する架台と、試験体を保持する試験体保持具と、該試験体保持具を加振する加振機とを備えてなることを特徴とする。
【０００７】
本発明の試験装置においては、試験体が防水シートを有し、試験体保持具が、前記防水シートの周縁部を載置する試験体受け枠と、該試験体受け枠に載置された前記防水シートの周縁部を押さえる押さえフレームとを備えてなるのが好ましい。
【０００８】
また、本発明の試験装置においては、屋根下地模型が、架台の天井梁に固定されるベースフレームを有してなるのが好ましい。
【発明の効果】
【０００９】
本発明によれば、防水シート工法が適用された屋根の耐風速試験を再現性よく試験できるという優れた効果が得られる。
【発明を実施するための最良の形態】
【００１０】
以下、添付図面を参照しながら本発明を実施形態に基づいて説明するが、本発明はかかる実施形態のみに限定されるものではない。
【００１１】
本発明の一実施形態に係る試験装置を図１に概略図で示す。
【００１２】
試験装置Ａは、図１に示すように、屋根下地模型１０と、屋根下地模型１０を天地を逆にして支持する架台２０と、試験体Ｔを保持する試験体保持具３０と、試験体保持具３０を水平に加振する加振機４０とを主要構成要素として備えてなるものとされる。
【００１３】
屋根下地模型１０は、ベースフレーム１１と、ベースフレーム１１に適宜幅で配設されたデッキプレート１２とからなるものとされる。ベースフレーム１１は、例えば、６００ｍｍｘ６００ｍｍ程度のサイズとされる。また、デッキプレート１２の幅は３００ｍｍ〜６００ｍｍ程度とされる。
【００１４】
架台２０は、図１に示すように、門型フレームとされ、その天井梁２１に屋根下地模型１０のベースフレーム１１が、デッキプレート１２を下に向けて着脱自在に装着、例えばボルト・ナット留めにて装着される。
【００１５】
試験体保持具３０は、図２に示すように、試験体Ｔつまり固定ディスクＴｄが固着された防水シートＴｓの周縁部が載置される試験体受け枠（図２（ｃ），（ｄ）参照）３１と、防水シートＴｓの周縁部を上から押さえる押さえフレーム（図２（ａ），（ｂ）参照）３２とを備えてなるものとされる。
【００１６】
試験体受け枠３１は、図２（ｃ）および（ｄ）に示すように、溝形鋼（またはリップ溝形鋼）を溝を外方に向けて枠体３３としてなるものとされる。枠体３３のサイズは、例えば３００ｍｍｘ３００ｍｍとされる。また、枠体３３の上面３４には防水シートＴｓの周縁を押さえるボルトを挿通するボルト孔３４ａが所定ピッチで設けられるとともに、下面３５には枠体３３を加振機４０に固定するボルトを挿通するボルト孔３５ａが所定ピッチで設けられている。
【００１７】
押さえフレーム３２は、図２（ａ）および（ｂ）に示すように、枠体３３と同サイズの平板フレーム３８とされる。また、平板フレーム３８には、枠体３３の上面３４に対応させたボルト挿通孔３８ａが設けられている。
【００１８】
加振機４０は、試験体Ｔつまり防水シートを所定の振動数および加速度で加振させるものとされる。ここで、前記振動数は、例えば１５Ｈｚ程度とされ、また加速度は３Ｇ〜１０Ｇ程度とされる。
【００１９】
また、この加振機４０は、図１に示すように、試験体受け枠３１が載置される載置面４１を有し、この載置面４１には試験体受け枠３１固定するボルトが螺着されるねじ穴（明瞭には図示されていない）が設けられている。
【００２０】
次に、かかる構成とされた試験装置Ａによる試験要領について説明する。
【００２１】
手順１：固定ディスクＴｄを屋根下地模型１０のデッキプレート１２の所定位置に取り付ける。
【００２２】
手順２：所定サイズに調整された防水シートＴｓの中央を固定ディスクＴｄに融着する。
【００２３】
手順３：防水シートＴｓの周縁部を試験体保持具３０により保持する。つまり、防水シートＴｓの周縁部を試験体受け枠３１に載置して押さえフレーム３２により押さえた状態で、ボルト・ナット留めにて防水シートＴｓを試験体保持具３０に固定する。
【００２４】
手順４：屋根下地模型１０のベースフレーム１１を架台２０に固定する。
【００２５】
手順５：試験体受け枠３１を加振機４０の載置面４１に固定する。
【００２６】
手順６：加振機４０を起動して所定時間試験を行う。
【００２７】
このようして試験を行ったところ、現象を忠実に再現できた。
【００２８】
このように、この実施形態によれば、構成が簡素でかつ小さな試験装置Ａにより、再現性よく試験がなし得る。また、試験装置Ａが簡素かつ小型化されているため、試験装置Ａを低コストとすることができるとともに、試験に要する費用も低コストとすることができる。その上、防水シートＴｓを試験体保持具３０にボルト・ナット留めにて固定するようにしているので、防水シートＴｓを固定するための特段の治具を必要としない。そのため、試験に伴う経済的負担が軽減されて試験が手軽になし得る。
【００２９】
以上、本発明を実施形態に基づいて説明してきたが、本発明はかかる実施形態のみに限定されるものではなく、種々改変が可能である。例えば、実施形態では屋根下地模型１０は、ベースフレーム１１とデッキプレート１２との組み合わせとされているが、屋根下地模型１０は前記組み合わせに限定されるものではなく、ベースフレーム１１とコンクリート版との組み合わせとすることもできる。
【産業上の利用可能性】
【００３０】
本発明は、防水シート工法が適用された屋根構造における耐風速試験に適用できる。
【図面の簡単な説明】
【００３１】
【図１】本発明の一実施形態に係る試験装置の概略図である。
【図２】試験体保持具の分解図である。
【図３】防水シート工法が適用された屋根の要部断面図である。
【符号の説明】
【００３２】
１０      屋根下地模型
１１      ベースフレーム
１２      デッキプレート
２０      架台
２１      天井梁
３０      試験体保持具
３１      試験体受け枠
３２      押さえフレーム
３３      枠体
４０      加振機
４１      載置面
Ａ      試験装置
Ｔ      試験体
Ｔｄ    固定ディスク
Ｔｓ    防水シート
【図１】
2006275604.tif 000003
【図２】
2006275604.tif 000004
【図３】
2006275604.tif 000005